(57)【要約】【課題】ドア体に設けられる施錠装置のキーを、防犯管理をする警備会社に安心感を持って預けることができるように構成する。【解決手段】施錠装置６に設けられる主施錠具４を、ドア体１側に設けられるシリンダー４ａと、デッドボルト４ｃと、躯体側に設けられるケーシング９と受け座本体１０とで構成される受け座ユニット８とで構成し、主施錠具４の解錠具として第一キー１４と第二キー１５とを用意し、防犯装置の異常検知があったときのみ第二キー１５による第二操作をすることで、受け座ユニット８の受け座本体１０がドア体１と一体となって開放する構成とする。【選択図】図２
2008280799.tif 000002
【特許請求の範囲】
【請求項１】
躯体開口部を開閉するドア体の施錠装置を、ドア体に設けられるシリンダーと、シリンダーに開設したキー穴に対する第一キーの第一操作でドア体からの突出量が小さい通常施錠姿勢に変姿し、第二キーの第二操作でドア体からの突出量が大きい緊急解錠姿勢に変姿することが可能となるデッドボルトと、ドア体の開放方向への脱落が自在な状態で躯体に埋設され、前記デッドボルトの通常施錠姿勢または緊急解錠姿勢でデッドボルトの突出部が嵌入して開放方向への係止がなされる受け座と、躯体側に設けられ、受け座に係止して受け座がドア体の開放方向に脱落するのを規制する規制姿勢と、デッドボルトの緊急解錠姿勢への変姿により受け座との係止を解除して受け座が開放方向に脱落するのを許容する自由姿勢とに変姿する規制体と、防犯装置の異常検知に伴い、規制体を規制姿勢に保持する状態から自由姿勢に変姿せしめる作動ピンとを備えて構成し、防犯装置による異常検知時に第二キーの第二操作がなされるとドア体を受け座とともに開放するように構成した施錠装置。
【請求項２】
第二キーの第二操作は、防犯装置の異常検知に伴う規制体の自由姿勢のときのみ操作できるように構成されている施錠装置。
【発明の詳細な説明】
【技術分野】
【０００１】
本発明は、開口部を開閉揺動するドア体に設けられる施錠装置の技術分野に属するものである。
【背景技術】
【０００２】
近年、住宅等の被警備建築物に、ドア体やシャッターカーテン等の開閉体の抉じ開け等を検知するこじ開け検知センサ、人感センサ等の防犯装置を設け、該防犯装置の異常検知信号を警備会社の警備システムに連繋し、不審者の敷地内への侵入や、開口部の施錠装置の破壊や開閉体の抉じ開け等の防犯異常が確認された場合では、警備員が住宅に駆けつけて防犯管理をするような警備サービスが提唱されている。この場合に、居住者の留守中に何らかの異常があった場合では、居住者がいない状態でも警備員が住宅内に入って防犯活動することが想定され、このため、警備サービスを受ける場合は警備会社に玄関等の施錠装置を解錠するキーを預けることが求められる。
しかるに、キーを警備会社に預けるということは、サービスを受ける側にとっては、キーを勝手に用いて施錠装置を解錠されるのではないかという不信感をぬぐい去ることが難しく、警備システムによる防犯サービスを受けることを躊躇する原因の一つとなっている。
一方、キーを預かる警備会社にとっても、顧客のキーをそれぞれ識別して保管しなければならないという煩雑さがあり、しかも、近年、防犯上の観点から玄関ドア等においては、二重ロック、即ち、種類の異なる二つ以上の施錠装置を設けることが提唱されており、この場合では、警備会社は複数のキーを預かって管理しなければならないことになって、一層煩雑になるという問題がある。
【０００３】
この改善策として、躯体側に設けられる受け座に電磁機構を介して遠隔操作できる部材（開閉板）を取り付け、前記部材を作動させることにより、デッドボルトが突出したままの状態（施錠状態のまま）でドア体を開放することができるようしたものが提唱されている。
【特許文献１】実公昭５８−２３８８１号公報
【発明の開示】
【発明が解決しようとする課題】
【０００４】
ところが、前記従来のものは、警備会社にキーを預ける必要はないものの、電磁機構により作動する開閉板の開閉機構自体が複雑でコスト高になってしまうばかりでなく、開閉板が屋外に面している場合では悪戯されたり、破壊されてドア体を開放されてしまう惧れがあり、このため、開閉板の配設側、即ち、ドア体の開放方向を屋内側（内開きのドア）にする必要があり、ドア体の開放方向が限定されてしまうという問題があり、ここに本発明の解決すべき課題がある。
【課題を解決するための手段】
【０００５】
本発明は、上記の如き実情に鑑みこれらの課題を解決することを目的として創作されたものであって、請求項１の発明は、躯体開口部を開閉するドア体の施錠装置を、ドア体に設けられるシリンダーと、シリンダーに開設したキー穴に対する第一キーの第一操作でドア体からの突出量が小さい通常施錠姿勢に変姿し、第二キーの第二操作でドア体からの突出量が大きい緊急解錠姿勢に変姿することが可能となるデッドボルトと、ドア体の開放方向への脱落が自在な状態で躯体に埋設され、前記デッドボルトの通常施錠姿勢または緊急解錠姿勢でデッドボルトの突出部が嵌入して開放方向への係止がなされる受け座と、躯体側に設けられ、受け座に係止して受け座がドア体の開放方向に脱落するのを規制する規制姿勢と、デッドボルトの緊急解錠姿勢への変姿により受け座との係止を解除して受け座が開放方向に脱落するのを許容する自由姿勢とに変姿する規制体と、防犯装置の異常検知に伴い、規制体を規制姿勢に保持する状態から自由姿勢に変姿せしめる作動ピンとを備えて構成し、防犯装置による異常検知時に第二キーの第二操作がなされるとドア体を受け座とともに開放するように構成した施錠装置である。
請求項２の発明は、第二キーの第二操作は、防犯装置の異常検知に伴う規制体の自由姿勢のときのみ操作できるように構成されている施錠装置である。
【発明の効果】
【０００６】
請求項１の発明とすることにより、防犯装置により何らかの異常を検知した場合のみ第二キーを用いて施錠装置を解錠することができ、安心感を持って警備会社に第二キー預けることができるうえ、複数の施錠具を備えた施錠装置であっても一本のキーで解錠できて、警備会社にとっても保管の煩雑さが軽減し、しかも、ドア体の開放方向が限定されないようにできる。
請求項２の発明とすることにより、防犯装置により異常検知がなされない場合では第二キーによる第二操作ができないので、一層の安心感を得ることができる。
【発明を実施するための最良の形態】
【０００７】
つぎに、本発明の実施の形態について、図面に基づいて説明する。
図面において、１は住宅の玄関となる開口部に設けられたドア体であって、該ドア体１は、左右方向一方（本実施の形態では左側）となる戸先側に把手１ａが設けられ、左右方向他方（右側）となる戸尻側縁部が複数の蝶番２を介して躯体側の部材となるドア枠３に対して開閉揺動自在に枢支されており、把手１ａを把持して操作することで、ドア体１が屋外側に向けて開放するように構成されている。
【０００８】
前記ドア枠３は躯体開口部の四周に一体的に設けられており、左右一対の縦枠体３ａと、開口部上方の上枠体３ｂと、開口部下方の沓摺３ｃとにより構成されている。そして、戸先側の縦枠体３ａとドア体の戸先側とのあいだには、二種類の施錠具４、５を備えた二重ロック式の施錠装置６が設けられており、該施錠装置６に本発明が実施されている。
【０００９】
前記ドア体１の戸先側部位には、施錠装置６を構成するケース体７が固定されており、該ケース体７の戸先側端面７ａはドア体１の戸先側端面１ｂと面一状となっている。そして、ケース体７には、下方に位置して主施錠具４を構成する主シリンダー４ａが設けられているとともに、主シリンダー４ａの上方には、副施錠具５を構成する副シリンダー５ａが設けられているが、これら各シリンダー４ａ、５ａは、キー穴４ｂ、５ｂが屋外側に面する状態で配設されている。さらに、ケース体７には、主、副施錠具４、５を構成する主、副デッドボルト４ｃ、５ｃが、ケース体７の戸先側端面７ａから出没自在に変姿するべく左右方向移動自在に配設されている。
ここで、主デッドボルト４ｃは、汎用の左右方向に長い四角柱形状に形成されているが、副デッドボルト５ｃは、突出側の端部に上方を向く折曲部が形成された鎌形状に形成されている。
【００１０】
一方、戸先側の縦枠体３ａ配設部には、ケース体７の対向部位に位置して切り欠かれており、該切り欠き部に受け座ユニット８が設けられている。前記受け座ユニット８は躯体（縦枠体３ａ）に埋設される状態で固定されるケーシング９と受け座本体（本発明の受け座に相当する）１０とを備えて構成されている。前記ケーシング９は、ドア体１の戸先側端面１ｂに対向する方向と、ドア体１の開放方向であって、本実施の形態では屋外側となる方向とが開口する凹溝９ａが形成されており、該凹溝９ａに、受け座本体１０が内装されている。前記受け座本体１０のドア体戸先側端面１ｂに対向する部位には、前記デッドボルト４ｃ、５ｃの躯体側に突出する突出端部が嵌入する主、副ボルト受け部１０ａ、１０ｂが形成されており、これら主、副ボルト受け部１０ａ、１０ｂにデッドボルト４ｃ、５ｃが嵌入することにより、ドア体１の開放方向の係止、即ち、施錠がなされるように設定されている。
ここで、受け座本体１０に形成される主ボルト受け部１０ａは、受け座本体１０を左右方向に貫通する貫通孔により構成されており、主ボルト受け部１０ａの外形は主デッドボルト４ｃの外形よりも大きく形成されている。また、主ボルト受け部１０ａの左側、即ち、躯体側を向く孔端には、躯体側ほど孔形が大きくなるよう傾斜状のガイド面１０ｃが形成されている。さらに、受け座本体１０の主ボルト受け部１０ａのガイド面１０ｃ形成部位には、ガイド面１０ｃの屋内側の半部を切り欠くことにより躯体側に対して溝浅となる溝浅部１０ｄが形成されている。
尚、副ボルト受け部１０ｂは、鎌形の副デッドボルト５ｃの折曲部が係止するべく、蟻溝形状に形成されている。
【００１１】
また、前記ケーシング９の上下の溝側面には、溝内側に突出する突起９ｂが屋内外方向に長く一体形成されている一方、受け座本体１０の上下の側面には、前記突起９ｂがスライド移動自在に嵌合するスライド凹部１０ｅが屋内外方向に長く形成されている。これによって、受け座本体１０は、凹溝９ａに内嵌する状態から屋外側にスライド移動自在となっており、受け座本体１０をケーシング９に対して屋外側に向けてスライドさせることにより、ケーシング９から脱落する（抜け出す）ことができるように構成されている。
【００１２】
一方、ケーシング９の溝底片９ｃには、主ボルト受け部１０ａのガイド面１０ｃ形成部位に対向して凹溝状の規制体収容部９ｄが形成されており、該規制体収容部９ｄには、ドア体１側を向く先端が先端先細状に形成された円柱状の規制体１１の基端部が内装されている。前記規制体１１は、規制体収容部９ｄの底片と基端部とのあいだに介装される付勢弾機１１ａにより、先端面１１ｂが、主ボルト受け部１０ａに嵌入する主デッドボルト４ｃの突出先端面４ｄ側に向けて押圧されるように設定されている。
さらに、前記規制体１１の基端部には、上方が開口する凹部１１ｃが下方に向けて凹設される一方、ケーシング９には、規制体収容部９ｄに連通し、かつ、上方に向けて凹設された凹部９ｅが形成されており、これら凹部１１ｃ、９ｅに作動ピン１２が上下方向移動自在な状態で収容されている。ここで、作動ピン１２は、図示しない防犯装置（例えば窓部に設けたシャッター装置のこじ開け検知装置）の防犯異常の検知で励磁する電磁スイッチ１３に連繋して、凹部１１ｃ、９ｅ内において上下方向の移動を行なうように構成されている。
【００１３】
そして、防犯装置が防犯異常を検知しない非異常検知状態では、作動ピン１２は下動してケーシング側凹部９ｅと規制体側凹部１１ｃとの両者に嵌入するように設定されている。この状態において、規制体１１は作動ピン１２により位置規制された状態に保持されているが、規制体１１の先端面１１ｂは、受け座本体１０の主ボルト受け部１０ａの溝浅部１０ｄを越えて主ボルト受け部１０ａに内嵌し、ドア体１の開閉方向において主ボルト受け部１０ａに係止する状態となっている。このように、作動ピン１２が下動する非異常検知状態では、規制体１１は、受け座本体１０が屋外側に向けてスライド移動するのを規制する規制姿勢に保持されるように設定されている。
これに対し、防犯装置が何らかの防犯異常を検知して電磁スイッチ１３のスイッチ切り換えがなされた場合では、作動ピン１２が上動して規制体側凹部１１ｃから抜け出してケーシング側凹部９ｅ側に嵌入する状態となるように設定されている。この状態になると、規制体１１は、作動ピン１２による移動規制が解除された自由姿勢となり、後述するように、付勢弾機１１ａの付勢力に抗して主デッドボルト４ｃにより規制体収容部９ｄ側に退避せしめられ、規制体先端面１１ｂが受け座本体１０の溝浅部１０ｄから抜け出した場合では、規制体１１による受け座本体１０の屋外側への係止が解除された状態となり、受け座本体１０が屋外側に脱落することが可能となるように構成されている。
【００１４】
さて、１４、１５は主施錠具４を施錠−解錠するための第一、第二キー（図３（Ｃ）、（Ｄ）参照）であり、１６は、副施錠具５を施錠−解錠するための副キー（図３（Ｂ）参照）である。
前記第一キー１４および副キー１６は住宅の居住者が常時所持して、従来通りの施錠−解錠操作、即ち、一例として、第一キー１４または副キー１６を左側回転することで施錠操作、右側回転することで解錠操作がなされるように構成されている。
一方、第二キー１５は、本実施の形態では、第一キー１４と形状が異なるように形成（第一キー１４よりも長く形成）されており、警備会社に預けるものであるが、該第二キー１５は、防犯装置により異常が検知されない場合では、主施錠具４を操作しても施錠装置６が施錠されたままでドア体１を開放することはできないが、防犯装置により異常が検知された場合では、主施錠具４を第二キー１５を操作することでドア体１を開放することができるように構成されており、これによって、警備会社にキーを預けることに対する不安感を改善できるように構成されている。
【００１５】
つぎに、第一、第二キー１４、１５による主施錠具４の施錠−解錠構成について説明する。
前記第一キー１４は、前述したように、汎用のキーと同様の構成であり、シリンダー４ａに形成されるキー穴４ｂに挿入し、左側回転させる第一操作を行なうことにより、主デッドボルト４ｃを、図２に示すように突出量の小さい通常施錠姿勢に変姿させるように設定されている。
ここで、主デッドボルト４ｃは、通常施錠姿勢において、規制姿勢に保持される規制体１１の先端面１１ｂに突出先端面４ｄが近接対向する位置まで突出するように構成されている。尚、第一キー１４は、前記第一操作の逆操作（右回転）をすることにより主施錠具４の解錠操作ができるように構成されている。
【００１６】
これに対し、第二キー１５は、キー穴４ｂに挿入し、主施錠具４を解錠させる操作に相当する右側回転させても主デッドボルト４ｃを退避させる作動（解錠作動）をさせることができないように設定されている。そして、左側回転させる操作を行なうことにより、主デッドボルト４ｃを躯体側に向けて突出させることができるように設定されている。
このように構成された第二キー１５を用いて主施錠具４を操作する場合に、規制体１１が規制姿勢となっている状態において、第二キー１５を左側回転させる場合に、主デッドボルト４ｃが既に通常施錠姿勢になっている状態では、規制体１１が規制姿勢に保持されているため、第一キー１４と同様の回転範囲までは空回り状に回転し、その後は、第二キー１５の回転が規制される状態となり、通常施錠姿勢となっている主デッドボルト４ｃのさらなる躯体側への突出が規制され、通常施錠姿勢が保持されて主施錠具４を解錠すること（ドア体１の開放）ができないように設定されている。
一方、規制体１１が自由姿勢となっている状態において、第二キー１５を左側回転した場合では、規制体１１が自由姿勢になっているため、第二キー１５は第一キー１４の回転範囲を超えて大きく回転する第二操作をすることができ、この状態となると、通常施錠姿勢となっている主デッドボルト４ｃをさらに大きく突出させることができ、図３に示すように、突出量の大きい緊急解錠姿勢に変姿させることが可能となるように設定されている。このように、主デッドボルト４ｃが付勢弾機１１ａの付勢力に抗して緊急解錠姿勢に変姿した状態では、規制体１１が規制体収容部９ｄ側に押しやられ、規制体先端面１１ｂが受け座本体１０の溝浅部１０ｄから抜け出し、規制体１１による受け座本体１０との係止が解除された状態となるように設定されている。これによって、把手１ａを把持してドア体１を屋外側に向けて開放操作することで、施錠具４、５の主、副デッドボルト４ｃ、５ｃが係止したまま（施錠されたまま）の状態の受け座本体１０がケーシング９（躯体、縦枠体３ａ）から脱落し、もって、ドア体１の緊急開放ができるように構成されている。
【００１７】
叙述の如く構成された本形態において、居住者の留守中に住宅に設けられる窓のシャッターや勝手口のドア等に設けられた防犯装置が何らかの防犯異常を検知した場合では、警備会社の警備員が現地に駆けつけて施錠装置６を解錠して屋内に入ることになるが、この場合に、警備員は主施錠具４の第二キー１５による第二操作でドア体１を開放することができる。この場合に、前記第二キー１５は、防犯異常が検知されない通常の使用状態では主施錠具４を解錠することはできず、防犯装置が何らかの異常を検知した場合のみ、第二キー１５による第二操作がなされることにより、受け座本体１０がドア体１と一体になって躯体から抜け出すように構成したので、第二キー１５を警備会社に預ける側にとっても安心感を持って預けることができる。
しかも、本実施の形態の施錠装置６は、主、副施錠具４、５が設けられた二重ロック式に構成されており、防犯性が向上した施錠装置６となっているにもかかわらず、一本の第二キー１５のみで施錠装置６を解錠できるので、警備会社にとっては第二キー１５のみを預かるだけでよく、保管にかかわる煩雑さを軽減することができる。
そのうえ、このものでは、受け座本体１０の脱落を規制し、電磁スイッチ１３のスイッチ切り換えにより作動する規制体１１は、受け座本体１０の主ボルト受け部１０ａ内において左右方向に出没する構成となっていて、外部に露出することがないので、悪戯されにくく、もって、受け座本体１０の脱落方向であるドア体の開放方向を、屋内外何れの方向であっても問題なく取り付けることができ、開放方向が限定されないという利点がある。
【００１８】
そのうえ、このものでは、規制体１１の規制姿勢では第二キー１５を大きく左側回転させる第二操作をすることができず、操作規制体１１が自由姿勢になっているときのみ第二キー１５による第二操作ができるようにしたので、一層の安心感を持って警備会社に預けることができる。
【図面の簡単な説明】
【００１９】
【図１】ドア体の概略正面図である。
【図２】施錠装置を説明する正面断面図である。
【図３】図３（Ａ）、（Ｂ）、（Ｃ）、（Ｄ）はそれぞれ施錠装置を説明する正面断面図、副キーの正面図、第一キーの正面図、第二キーの正面図である。
【図４】図２のＸ−Ｘ断面図である。
【符号の説明】
【００２０】
１    ドア体
３    ドア枠
４    主施錠具
４ａ    シリンダー
４ｂ    キー穴
４ｃ    主デッドボルト
５    副施錠具
６    施錠装置
７    ケース体
８    受け座ユニット
９    ケーシング
１０    受け座本体
１０ａ    主ボルト受け部
１０ｄ    溝浅部
１１    規制体
１２    作動ピン
１４    第一キー
１５    第二キー
１６    副キー
【図１】
2008280799.tif 000003
【図２】
2008280799.tif 000004
【図３】
2008280799.tif 000005
【図４】
2008280799.tif 000006